(57)【要約】【課題】熱媒体たる冷温空気の送風路をダクトで構成しながらも、冷温空気が室内に放出可能で、しかも、送風路内の結露水が室内に落下しない輻射式空調ユニットを備えた空調装置を提供することを目的とする。【解決手段】本発明の目的は、断熱性を有する上面板若しくは断熱性を有する天井板で構成された上壁面１１と、断熱性を有し、熱媒体空気の放出孔１２１が設けられた左右一組の側壁面１２と、断熱性を有し、該左右一対の側壁面１２に直交する一組の前壁面１３及び後壁面１４と、底面を構成する金属板で成形された輻射パネル２１と、前記熱媒体空気を導入するための熱媒体空気導入管１５とを有する輻射式空調ユニットとしたことによって達成される。【選択図】図２
2018063095.tif 000002
【特許請求の範囲】
【請求項１】
断熱性を有する上面板若しくは断熱性を有する天井板で構成された上壁面と、
断熱性を有し、熱媒体空気の放出孔が設けられた左右一組の側壁面と、
断熱性を有し、該左右一対の側壁面に直交する一組の前壁面及び後壁面と、
底面を構成する金属板で成形された輻射パネルと、
該輻射パネルと、前記上壁面と、前記左右一組の側壁面と、前記前壁面及び後壁面によって構成される送風路に前記熱媒体空気を導入するための熱媒体空気導入管とを有し、
少なくとも、前記上壁面と前記前壁面又は前記後壁面のいずれかの壁面に前記熱媒体空気導入管が設けられている輻射式空調ユニット。
【請求項２】
請求項１に記載の輻射式空調ユニットにおいて、
前記送風路に面した側の前記輻射パネル表面であって、前記熱媒体空気導入管の導入口に対向する位置に断熱性を有する断熱ボードが貼り付けられている輻射式空調ユニット。
【請求項３】
請求項１又は請求項２に記載の輻射式空調ユニットにおいて、
前記輻射パネル面のうち、前記送風路に面していない側の面が珪藻土クロス部材で覆われている輻射式空調ユニット。
【請求項４】
請求項１、請求項２又は請求項３のいずれか１項に記載の輻射式空調ユニットにおいて、
前記輻射パネルの表面には２以上の凹又は凸若しくは凹凸が形成されている輻射式空調ユニット。
【請求項５】
請求項１、請求項２、請求項３又は請求項４のいずれか１項に記載の輻射式空調ユニットにおいて、
前記輻射パネル中央部は前記送風路外側へ膨らんでいる輻射式空調ユニット。
【請求項６】
請求項１、請求項２、請求項３、請求項４又は請求項５のいずれか１項に記載の輻射式空調ユニットにおいて、
断熱性を有する増設上壁面と、
断熱性を有し、前記熱媒体空気の放出孔が設けられた左右一組の増設側壁面と、
断熱性を有し、該左右一対の側壁面に直交する一組の増設前壁面及び増設後壁面と、
底面を構成する金属板で成形された増設輻射パネルと、を備える増設輻射式空調ユニットを有し、
前記増設輻射パネルと、前記増設上壁面と、前記左右一組の増設側壁面と、前記増設前壁面及び増設後壁面が増設送風路を構成し、
少なくとも、前記輻射式空調ユニットの前記前壁面又は前記後壁面のいずれかに開口部を設けてジョイント部を構成し、
更に、少なくとも、前記増設輻射式空調ユニットの前記増設前壁面又は前記増設後壁面のいずれかに増設開口部を設けて増設ジョイント部を構成し、
前記ジョイント部と前記増設ジョイント部が連結されて、前記輻射式空調ユニットと前記増設輻射式空調ユニット間にジョイント送風路が形成され、
該ジョイント送風路にて、前記熱媒体空気の通路断面積が絞られている輻射式空調装置。
【請求項７】
請求項６に記載の輻射式空調装置において、
前記ジョイント部における前記輻射パネル端部は、前記送風路側に折り返されて前記開口部を構成し
前記増設ジョイント部における前記増設輻射パネル端部は、前記増設送風路側に折り返されて前記増設開口部を構成している輻射式空調装置。
【請求項８】
請求項１、請求項２、請求項３、請求項４又は請求項５のいずれか１項に記載の輻射式空調ユニット若しくは、請求項６又は請求項７に記載の輻射式空調装置において、
前記熱媒体空気の送風先を分岐する送風切り替え分岐ダンパーと、断熱ダクトと、床下空間とを有し、
前記断熱ダクトは前記送風切り替え分岐ダンパーと前記床下空間の間に空気送風路を構成し、
前記送風切り替え分岐ダンパーを切替えることによって、前記熱媒体空気の送風先を前記熱媒体空気導入管又は前記断熱ダクト若しくは、前記熱媒体空気導入管と前記断熱ダクトの両方に送風することを可能とする輻射式空調装置。
【発明の詳細な説明】
【技術分野】
【０００１】
本発明は輻射式空調ユニット及びこれを用いた輻射式空調装置に関する。
【背景技術】
【０００２】
エアコンは冷風又は温風の吹き出しが直接、人に当たって不快を感じさせることがある。また、サーモスイッチにより、自動的にエアコンが入り切りされると、これに伴って、室温が上下して不快を感じる場合もある。また、エアコンスイッチのオンオフは、無駄な電力消費にもつながる。一方、冷水や温水を熱媒体として輻射パネルを冷却若しくは加熱する空調装置もある。
【０００３】
これは冷却されたパネルが遠赤外線を吸収し、又は加熱されたパネルが遠赤外線を放出することによって冷房と暖房を行うものである。しかし、これは熱媒体たる冷水若しくは温水を導水管で送る設備が必要であるといった課題がある。また、室内の人が快適さを感じるには遠赤外線といった輻射熱だけでなく、若干の冷温空気が肌に触れる必要もある。
【０００４】
そこで、エアコンの放出する冷温空気を熱媒体として、輻射パネルを冷却又は加熱する輻射式空調装置も提案されている。たとえば、特許文献１に記載の輻射パネルユニットと輻射式空調装置は、天井から輻射パネルを懸架し、その輻射パネルと天井の間の空間を熱媒体としての空気の送風路として用いている。
【０００５】
輻射パネルには多数のスリット孔が設けられていて、エアコンから吹出された冷温空気は、輻射パネルを冷却、又は加熱しながら、パネル中に設けられたスリット孔から室内に放出される。室内に放出された空気は再びエアコンに取り込まれる。このような空調装置は、冷水又は温水を導入する管は不要で、現場での設置工数は軽減されている。
【０００６】
一方、特許文献２には、輻射パネルと送風路を一体化して輻射パネル付ダクトとする構成を有する輻射式冷暖房装置が記載されている。同装置は、天井側と左右側面の３方面を断熱性ある壁とし、下面をアルミ製の板で輻射パネルとする、輻射ダクト構造を採っている。更に同装置では、輻射パネルの送風路側に、ついたて状のアルミ製伝熱部材が設けられている。これは、送風路内を冷温空気が素通りせずに、輻射パネルを効率的に冷却し、又は、加熱するための構造である。
【先行技術文献】
【特許文献】
【０００７】
【特許文献１】特開２０１３−１９０１８３号公報
【特許文献２】特開２０１２−２２５５１７号公報
【発明の概要】
【発明が解決しようとする課題】
【０００８】
ところで、特許文献１には、次の課題がある。すなわち、天井へ格子状にフレームを渡して、懸架具を取り付け、更に、輻射パネルをこれに懸架するという、現場での工数が要求される。よって、現場での工数を更に減らしたいという要求がある。また、同輻射式空調装置は輻射パネルに多数の孔が開いているため、送風路内で結露が生じたときに輻射パネルを通って、居住空間内に結露水が落ちる可能性があるという課題がある。
【０００９】
一方、特許文献２に記載の輻射式冷暖房装置は、冷温空気が室内に放出されないので、若干の冷温空気が肌に触れるという快適さを得ることができないという課題がある。また、輻射ダクトには、輻射パネル内部に伝熱部材が設けられているために、該輻射ダクトにある程度の高さ（厚み）が必要であり、伝熱部材の分だけ重量が重くなるという課題がある。
【００１０】
ところで、同文献の輻射冷暖房装置は熱媒体空気が密閉されていて、多数の前記伝熱部材に空気中の埃が溜まる虞は少ないといえる。しかし、若干の冷温空気が肌に触れるという快適さを得るために、前記熱媒体空気が室内も循環するようにすると、送風路内に多数のついたてがある構造は、内部に埃が溜まりやすく除去し難いという課題も生じる。
【００１１】
そこで、本発明の目的、すなわち解決しようとする第１の技術的課題は、熱媒体たる冷温空気の送風路をダクトで構成しながらも、冷温空気が室内に放出可能で、しかも、送風路内の結露水が室内に落下しない輻射式空調ユニットを備えた空調装置を提供することにある。
【課題を解決するための手段】
【００１２】
そこで、請求項１の発明を、断熱性を有する上面板若しくは断熱性を有する天井板で構成された上壁面と、断熱性を有し、熱媒体空気の放出孔が設けられた左右一組の側壁面と、断熱性を有し、該左右一対の側壁面に直交する一組の前壁面及び後壁面と、底面を構成する金属板で成形された輻射パネルと、該輻射パネルと、前記上壁面と、前記左右一組の側壁面と、前記前壁面及び後壁面によって構成される送風路に前記熱媒体空気を導入するための熱媒体空気導入管とを有し、少なくとも、前記上壁面と前記前壁面又は前記後壁面のいずれかの壁面に前記熱媒体空気導入管が設けられている輻射式空調ユニットとしたことにより、上記課題を解決した。
【００１３】
また、請求項２の発明を、請求項１に記載の輻射式空調ユニットにおいて、前記送風路に面した側の前記輻射パネル表面であって、前記熱媒体空気導入管の導入口に対向する位置に断熱性を有する断熱ボードが貼り付けられている輻射式空調ユニットとしたことにより、上記課題を解決した。請求項３の発明を、請求項１又は請求項２に記載の輻射式空調ユニットにおいて、前記輻射パネル面のうち、前記送風路に面していない側の面が珪藻土クロス部材で覆われている輻射式空調ユニットとしたことにより、上記課題を解決した。
【００１４】
請求項４の発明を、請求項１、請求項２又は請求項３のいずれか１項に記載の輻射式空調ユニットにおいて、前記輻射パネルの表面には２以上の凹又は凸若しくは凹凸が形成されている輻射式空調ユニットとしたことにより、上記課題を解決した。請求項５の発明を、請求項１、請求項２、請求項３又は請求項４のいずれか１項に記載の輻射式空調ユニットにおいて、前記輻射パネル中央部は前記送風路外側へ膨らんでいる輻射式空調ユニットとしたことにより、上記課題を解決した。
【００１５】
請求項６の発明を、請求項１、請求項２、請求項３、請求項４又は請求項５のいずれか１項に記載の輻射式空調ユニットにおいて、断熱性を有する増設上壁面と、断熱性を有し、前記熱媒体空気の放出孔が設けられた左右一組の増設側壁面と、断熱性を有し、該左右一対の側壁面に直交する一組の増設前壁面及び増設後壁面と、底面を構成する金属板で成形された増設輻射パネルと、を備える増設輻射式空調ユニットを有し、前記増設輻射パネルと、前記増設上壁面と、前記左右一組の増設側壁面と、前記増設前壁面及び増設後壁面が増設送風路を構成し、少なくとも、前記輻射式空調ユニットの前記前壁面又は前記後壁面のいずれかに開口部を設けてジョイント部を構成し、更に、少なくとも、前記増設輻射式空調ユニットの前記増設前壁面又は前記増設後壁面のいずれかに増設開口部を設けて増設ジョイント部を構成し、前記ジョイント部と前記増設ジョイント部が連結されて、前記輻射式空調ユニットと前記増設輻射式空調ユニット間にジョイント送風路が形成され、
該ジョイント送風路にて、前記熱媒体空気の通路断面積が絞られている輻射式空調装置
としたことにより、上記課題を解決した。
【００１６】
請求項７の発明を、請求項６に記載の輻射式空調装置において、前記ジョイント部における前記輻射パネル端部は、前記送風路側に折り返されて前記開口部を構成し前記増設ジョイント部における前記増設輻射パネル端部は、前記増設送風路側に折り返されて前記増設開口部を構成している輻射式空調装置としたことにより、上記課題を解決した。
【００１７】
請求項８の発明を、請求項１、請求項２、請求項３、請求項４又は請求項５のいずれか１項に記載の輻射式空調ユニット若しくは、請求項６又は請求項７に記載の輻射式空調装置において、前記熱媒体空気の送風先を分岐する送風切り替え分岐ダンパーと、断熱ダクトと、床下空間とを有し、前記断熱ダクトは前記送風切り替え分岐ダンパーと前記床下空間の間に空気送風路を構成し、前記送風切り替え分岐ダンパーを切替えることによって、前記熱媒体空気の送風先を前記熱媒体空気導入管又は前記断熱ダクト若しくは、前記熱媒体空気導入管と前記断熱ダクトの両方に送風することを可能とする輻射式空調装置としたことにより、上記課題を解決した。
【発明の効果】
【００１８】
請求項１に係る発明では、輻射式空調ユニットを構成する、左右一組の側壁面に熱媒体空気の放出孔が設けられているので、送風路をダクトで構成しながらも、冷温空気が室内に放出可能であるという効果がある。しかも、前記放出孔は輻射パネルが構成する底面よりも高い位置に設けられているために、前記送風路内の結露水が生じても室内に落下しないという効果がある。
【００１９】
請求項２に係る発明では、熱媒体空気導入管を通じて、輻射パネルに吹き付けられる冷却された空気が冷たすぎたとしても、同輻射パネルへの吹き付け面に貼られた断熱ボードの機能により結露を防げるという効果がある。請求項３に係る発明では、輻射式空調ユニット外面、すなわち、送風路に面していない側の輻射パネル面に結露が生じる場合でも、この輻射パネル面を覆う、珪藻土クロスが水分を吸湿するので、結露水が室内に落下しないという効果がある。
【００２０】
請求項４に係る発明では、輻射パネル表面に凹凸を設けることで表面積が増し、輻射効率が上がるという効果がある。請求項５に係る発明では、輻射パネルの中央部が送風路外側へやや膨らんでいるために、遠赤外線等の輻射線が放射状に拡散し、受け側の範囲を広げる効果がある。
【００２１】
請求項６に係る発明では、ジョイント部を介して、輻射式空調ユニットに増設輻射式空調ユニットを接続して輻射式空調装置を構成することで、室内の天井面積及び室内容積に最適な空調装置を構築できる効果がある。さらに、前記ジョイント部では、ジョイント送風路にて、熱媒体空気の通路断面積が絞られるため、風速が増強され、前記増設輻射式空調ユニット内でも輻射パネルを効率的に冷却若しくは加熱することができるという効果がある。
【００２２】
請求項７に係る発明では、ジョイント部での輻射パネル及び増設輻射パネルの折り返しにより、熱媒体空気の送風路が乱され乱流が発生する。これにより、輻射パネル及び増設輻射パネル全体が効率的に冷却若しくは加熱される効果がある。特許文献２に記載されている輻射式空調装置では、ダクト内部に複数設けられたついたて状の伝熱部材によって、同ダクト内部に乱流を作り出している。
【００２３】
一方、請求項７に係る本発明では、このような伝熱部材を設ける必要がないため、輻射式空調ユニットを軽量かつ、薄く作ることが可能であるという効果がある。請求項７に係る軽量な輻射式空調ユニットは、懸架する天井への負担を軽くする効果がある。また、請求項７に係る薄い輻射式空調ユニットは、天井に懸架しても天井が低くならないという効果がある。
【００２４】
請求項８に係る発明では、天井又は床、若しくは天井と床の両方から冷暖房を行うことができる。特に、冷房時には、天井に据付けた輻射式空調ユニットに冷却空気を送って冷房することができる。そして、暖房時には床下空間に加熱空気を送って暖房することができるという効果がある。
【図面の簡単な説明】
【００２５】
【図１】は本発明の一実施形態である輻射式空調ユニット及びこれを用いた輻射式空調装置の図であって、（Ａ）は前記輻射式空調装置を構成した例を示す断面を有する斜視図、（Ｂ）は（Ａ）のα部拡大図である。
【図２】は本発明の第１実施形態に係る例であって、（Ａ）は輻射式空調ユニットの一部の斜視図、（Ｂ）は同輻射式空調ユニットのＺ１−Ｚ１矢視断面図、（Ｃ）は同輻射式空調ユニットの側面図、（Ｄ）は（Ｃ）のＹ１−Ｙ１矢視断面図、（Ｅ）は軽鉄下地に据付具を取り付け、未だ同輻射式空調ユニットを据付けていない図である。
【図３】は本発明の第２実施形態に係る輻射式空調ユニットの例であって、（Ａ）は同輻射式空調ユニットの断面図、（Ｂ）は同ユニットを据付けるための据付具の図である。
【図４】は本発明の第３実施形態に係る輻射式空調ユニットの例であって、同輻射式空調ユニットの断面図である。
【図５】は本発明の第４実施形態に係る輻射式空調ユニットの例であって、（Ａ）は輻射パネルに凹凸加工が施されている場合の側面断面図、（Ｂ１）は輻射パネルの中央部が膨らんでいる場合の側面断面図、（Ｂ２）は輻射パネルの中央部の膨らみを誇張して表した側面断面図である。
【図６】は本発明の第５実施形態の例であって、（Ａ）は軽鉄下地に懸架された輻射式空調装置の側面図、（Ｂ）は同輻射式空調装置のジョイント部の断面図である。
【図７】は本発明の第６実施形態の例であって、（Ａ）は軽鉄下地に懸架された輻射式空調装置の側面図、（Ｂ）は同輻射式空調装置に係る輻射式空調ユニット同士のジョイント部の断面図、（Ｃ）は同ジョイント部を含む輻射式空調装置の斜視図。
【図８】（Ａ）は第７実施形態に係る輻射式空調装置の側面図、（Ｂ）は同装置を天井裏から俯瞰した図（軽鉄下地は省略）、（Ｃ）は同装置の側面断面図のＺ２−Ｚ２矢視断面拡大図である。
【図９】は本発明の第８実施形態に係る輻射式空調装置の例であって、（Ａ）は床空調装置を備えた部屋の天井に第５実施形態又は第６実施形態の空調装置を設置した図、（Ｂ）は同空調装置において、天井裏に設置されるエアコンと送風切替え分岐ダンパーと熱媒体空気導入管及び断熱ダクトの例を示す図である。
【発明を実施するための形態】
【００２６】
［第１実施形態］
図１と図２を参照しながら、本発明の輻射式空調ユニットの第１実施形態の説明をする。第１実施形態に係る輻射式空調ユニットは、後記する輻射式空調装置の最小構成である。そして内部には送風路が形成されている。この他、後記する増設輻射式空調ユニットは、後記するジョイント部を介して、前記輻射式空調ユニットに増設されるものである。説明の便宜上増設輻射式空調ユニットと命名するものであり、本質的には、増設輻射式空調ユニットはこれから説明する輻射式空調ユニットと同じ構成である。また、本件では、前記ジョイントを介して輻射式空調ユニットと増設輻射式空調ユニットが結合されたものを輻射式空調装置と称している。
【００２７】
図２（Ａ）は同輻射式空調ユニットの斜視図である。偏平な略六面体形状である。図示の便宜上、薄くは描かれていないが、実際には高さ方向は、例えば、１００ｍｍ程度に薄く構成することができる。同輻射式空調ユニットは、空調の対象となる室内の天井に据付けられる。同輻射式空調ユニットはエアコン７で冷却又は加熱された空気を、熱媒体空気導入管１５を通じて、その内部に構成されている送風路に導入する。
【００２８】
導入された熱媒体空気は、同輻射式空調ユニットに設けられた放出孔１２１から室内へ放出される。室内へ放出された熱媒体空気は図示しない、前記エアコン７の吸入口から再びエアコン７に取り込まれて、冷却若しくは加熱される。エアコン７から同輻射式空調ユニット導入された空気の圧力が高くなり過ぎないようにするには、同輻射式空調ユニットに導入される単位時間当たりの空気量よりも多くの空気を放出できる必要がある。放出孔１２１の大きさと、その個数は、同輻射式空調ユニットに導入される単位時間当たりの空気量に応じて適宜決定されるべきである。
【００２９】
図２（Ｂ）は同輻射式空調ユニットのＺ１−Ｚ１矢視断面図、（Ｃ）は同輻射式空調ユニットの側面図である。上面板としての上壁面１１と、左右一組の側壁面１２、１２と、該側壁面１２に直交する壁面の内、前壁面１３と後壁面１４は断熱部材で形成されている。つまり、同輻射式空調ユニットの六面の内５面までが、断熱部材で構成されている。そして、上壁面１１が天井に面して懸架される。後記するように、断熱天井ボードを上壁面１１として利用し、上壁面１１を省略する構成もある。しかし、図２に示す例では、上壁面１１を備える構成を例として説明する。
【００３０】
図２に示した例では、図示しないエアコン７から冷却若しくは加熱された空気を導入する熱媒体空気導入管１５は上方から斜め４５度の角度で、上壁面１１に設けられている。これは、天井裏に設置されたエアコン７から冷温空気を導入する場合の構成である。エアコン７が天井下に懸架されている場合には、前記熱媒体空気導入管１５は後壁面１４に設けられる。上壁面１１と、側壁面１２と、前壁面１３及び後壁面１４は、断熱性のある塩化ビニール樹脂で形成してもよい。
【００３１】
また、側壁面１２と、前壁面１３及び後壁面１４は金属で形成して表面に断熱部材で塗装してもよい。図２（Ｄ）はＹ１−Ｙ１矢視断面図であって、同輻射式空調ユニットを軽鉄下地Ｃに据付ける例を示している。軽鉄下地とは、室内に面した天井板を貼り付けるための補強軽鉄材である。まず、軽鉄下地Ｃに据付具４１をアンカーボルト４３で固定する。据付具４１には複数のボルト貫通孔が設けられている。
【００３２】
同ボルト貫通孔と、同輻射式空調ユニット側壁面１２の上部に設けられたボルト孔に対して、ダクトボルト４２を締め付けることにより、同輻射式空調ユニットを軽鉄下地Ｃに据付ける（図２（Ｄ）参照）。ダクトボルト４２は室内から見えないような留め方をしてもよいし、そのような留め方をしても本発明の技術的範囲内である。図２（Ｅ）は、軽鉄下地Ｃに固定された据付具４１の斜視図である。これは未だ同輻射式空調ユニットが据付けられていない状態を示している。
【００３３】
同輻射式空調ユニットの底面２は、例えば、アルミニウム等の金属板で形成された輻射パネル２１で構成されている。そして、同輻射式空調ユニットの内部である、輻射パネル２１には部分的に断熱ボード２２が貼り付けられている。これは熱媒体空気導入管１５の導入口に対向する位置に貼り付けるのが効果的である。この断熱ボード２２を貼り付ける構成は、特に冷房時に有効である。
【００３４】
オフィスなどの室内の温度が２０度以上の場合、輻射パネル２１は１５℃以上の温度になっている。この状態で１５℃に満たない低温空気が、熱媒体空気導入管１５を通じて同輻射式空調ユニット内に送り込まれて、前記輻射パネル２１を冷やしすぎると、室内側の面で結露してしまう。そこで、このように結露しがちな場所に予め断熱ボード２２を貼り付けておけば結露を防止することができる。前記低温空気は徐々に１５℃以上まで暖められる。そうすると、輻射パネル２１に触れても室内側の面で結露しなくなる。断熱ボード２２は、例えば、断熱性のある塩化ビニール樹脂を用いることができる。
【００３５】
更に、同輻射式空調ユニットの底面２は、輻射パネル２１の面であって、同輻射式空調ユニット外面が珪藻土クロス２３で覆われている。珪藻土クロスは水分を吸湿する部材である。この構成にしたので、輻射式空調ユニット外面、すなわち、送風路に面していない輻射パネル面に結露が生じる場合でも、この輻射パネル面を覆う、珪藻土クロスが水分を吸湿するので、結露水が室内に落下しないという効果がある。珪藻土クロスとは珪藻土を使った壁紙のことである。
【００３６】
ここで、同輻射式空調ユニットの冷房機能について説明する。室内を冷房するに際しては、エアコン７で冷却された空気を同輻射式空調ユニット内に送り込む。すると、冷却された空気は同輻射式空調ユニット内の空間、すなわち、送風路を循環する。同輻射式空調ユニット内部の５面は断熱部材で形成されているため冷却空気は暖められることはない。しかし、底面である輻射パネル２１は金属板なので、冷却された空気との間で熱交換が生じる。すなわち、輻射パネル２１は冷却され、前記冷却された空気は程よく温まる。
【００３７】
冷却された輻射パネル２１が天井に張り巡らされている状況になっている。すると、天井付近の空気は輻射パネル２１で冷やされ、冷えた空気は比重が重くなって下方へ沈む。この作用により、室内に静かな空気の対流が起こる。また、人は絶えず遠赤外線を四方八方に放出していて、上方にも放出している。このような状況で、天井からも遠赤外線による熱放射を受けたり、自らが放出した熱放射が天井で反射して再び自分に向けて放射されたりすると熱さを感じる。しかし、輻射パネル２１により天井が冷やされていれば、天井からの熱放射を受けることが無く、暑さを感じることが無い。しかし、輻射パネル２１で天井を冷却することによる冷房効果は、特許文献２に記載のダクトによる輻射式冷暖房装置の有する効果と同じである。
【００３８】
しかし、本発明に係る輻射式空調ユニットは、特許文献２に記載の輻射式冷暖房装置にない構成として、左右一組の側壁面１２，１２には熱媒体空気の放出孔１２１が設けられている（図２（Ｃ）参照）。エアコン７により冷却された空気が常時、同輻射式空調ユニット内に送り込まれると空間内の圧が高まる。すると、前記放出孔１２１から、前述のように程よく暖められた冷却空気が室内へ放出される。
【００３９】
これが室内に静かな空気の揺らぎをもたらす。人は絶えず放熱しているため、自らの放熱で熱せられた空気を身にまとった状態である。このような状態では、天井を冷却して、上方からの遠赤外線放射を無くしただけでは快適性は得られない。しかし、本発明に係る輻射式空調ユニットは前述のように天井を冷却するのに加えて、静かな空気の揺らぎをもたらす。これによって、身にまとった熱い空気が除去されるので快適な冷房を実現できるのである。
【００４０】
特許文献１に記載の輻射式空調ユニットと輻射式空調装置も天井を冷却し、冷却された空気を室内に放出する。しかし、特許文献１の装置は、輻射パネル自体に下向きの放出孔（スリット１２５）が多数開けられている。この構成では、同輻射式空調ユニット内に結露が生じた場合に、そのまま室内へ落下してしまう虞がある。一方、本発明の輻射式空調ユニットは、放出孔１２１が側壁面１２に設けられている。したがって、仮に輻射パネル２１に結露が生じても、同輻射パネル２１よりも高位にある放出孔１２１を通じて室内に結露水が落下することが無い。
【００４１】
次に、本発明の第１実施形態に係る輻射式空調ユニットの暖房機能について説明する。室内を暖房するに際しては、エアコン７で加熱された空気を同輻射式空調ユニット内に送り込む。すると、加熱された空気は底面である輻射パネル２１を加熱する。そして加熱されていた空気は程よく冷める。そして、放出孔１２１を通じて室内に静かに放出され、室内に静かな空気の揺らぎをもたらす。以上の理由により。加熱された輻射パネル２１が天井に張り巡らされている状況になっている。すると、輻射パネル２１から放出される遠赤外線である熱放射が室内の人に到達し、暖められることとなる。併せて、放出された空気が作り出す静かな揺らぎが快適な暖房を実現する。
【００４２】
請求項１に係る発明では、エアコン７空気が直接人にあたることによる不快感を防止することができる。更に、輻射式空調ユニットを軽鉄下地Ｃに懸架してエアコン７の空気を、熱媒体空気導入管を通じて導入するだけで、輻射式空調装置を構築できる効果がある。更に、輻射式空調ユニットを構成する、左右一組の側壁面に熱媒体空気の放出孔が設けられているので、送風路をダクトで構成しながらも、冷温空気が室内に放出可能であるという効果がある。しかも、前記放出孔は輻射パネルが構成する底面よりも高い位置に設けられているために、前記送風路内の結露水が生じても室内に落下しないという効果がある。
【００４３】
［第２実施形態］
次に、図３に基づいて本発明の輻射式空調ユニットの第２実施形態を説明する。図３は、第２実施形態に係る輻射式空調ユニットの断面図である。同輻射式空調ユニットは、断熱天井ボードＤに十分な断熱性のある場合の実施形態である。同輻射式空調ユニットには断熱性を有する上壁面は存在せず、断熱性ある断熱天井ボードＤがこれを兼ねている。図３（Ｂ）は、同輻射式空調ユニットを断熱天井ボードＤに据付けるための据付具４１を固定した状態を示す図である。同図では、未だ同輻射式空調ユニットは据付けられていない。据付けに際しては、第１実施形態の場合と同様に、アンカーボルト４３で据付具４１を断熱天井ボードＤに取り付けた後に、ダクトボルト４２で、同輻射式空調ユニットを据付具４１に据付ける。同輻射式空調ユニットは上壁面がないために、それだけ軽く、薄く構成することができるという効果がある。
【００４４】
［第３実施形態］
次に、図４に基づいて本発明の輻射式空調ユニットの第３実施形態を説明する。図４は、第３実施形態に係る輻射式空調ユニットの断面図である。同図に示されているように、同輻射式空調ユニットでは、上壁面１１のみが、例えば、塩化ビニール等の断熱部材で形成されている。そして、それ以外、すなわち、輻射パネル２１と、側壁面１２と、前壁面１２及び後壁面１４（図示せず）が同一の金属で構成されている。
【００４５】
更に、上壁面１１を除く全ての壁面の、室内に面している面には珪藻土クロス２３が貼り付けられている。そのうえ、側壁面１２と、前壁面１２及び後壁面１４の内側、すなわち、送風路に面している側には断熱材料２４が塗布されている。このように、同輻射式空調ユニットの全６面のうち５面が一体的に形成されることにより、製造効率を上げる効果がある。
【００４６】
［第４実施形態］
図５に基づいて、第４実施形態に係る輻射式空調ユニットの説明をする。同輻射式空調ユニットは、第１実施形態における輻射式空調ユニットの輻射パネル２１の表面に２以上の凹又は凸若しくは凹凸が形成されているものを輻射パネル２１Ｂとして用いた輻射式空調ユニットである（図５（Ａ））。輻射パネル２１Ｂのように、表面に凹凸を設ける、いわゆるエンボス加工を施すことにより、表面積を増大し、輻射パネルとしての輻射効率を向上させる効果を発揮する。
【００４７】
また、これとは別に、図５（Ｂ１）に示すように、輻射パネル２１Ｃの中央部は下方にやや膨らませて形成されることもできる。水平線Ｈと比較するとこの様子が分かる。図５（Ｂ２）には、この膨らみが誇張して表現されている。このような構成とすることで、遠赤外線等の輻射線８が放射状に拡散し、受け側の範囲を広げる効果がある。以上、表面に凹凸を有する輻射パネル１２Ｂと、中央部下方がやや膨らんだ輻射パネル２１Ｃを別個に実施してもよいし、両者を組み合わせて実施してもよい。更に、これらとは別に、輻射パネル２１，２１Ｂ及び２１Ｃ上に蓄熱材Ｆを置いて、該輻射パネル２１，２１Ｂ及び２１Ｃの温度の安定化を図ることもできる〔 図５（Ｂ２）参照〕。
【００４８】
［第５実施形態］
次に、図６を参照しながら、本発明の輻射式空調装置としての第５実施形態を説明する。本発明の輻射式空調装置は、第１実施形態又は第４実施形態に係る輻射式空調ユニットの２つ以上をジョイントで連結したものを言う。連結された各輻射式空調ユニットの内の幾つかに熱媒体空気導入管１５が設けられていてもよいが、いずれか１つの輻射式空調ユニットのみに設けられていてもよい。
【００４９】
第１実施形態又は第４実施形態に係る輻射式空調ユニットに連結するための開口とジョイント部を設け、これに連結される輻射式空調ユニットを説明の便宜上増設輻射式空調ユニットと称する場合もある。しかし、これは、第１実施形態又は第４実施形態に係る輻射式空調ユニットに連結するための開口とジョイント部を設けた物に他ならない。また、増設輻射式空調ユニットの中には、熱媒体空気導入管１５が設けられていないものもある。これは、前記ジョイント部の開口を通じて熱媒体空気の供給を受けるので、熱媒体空気導入管１５が不要だからである。
【００５０】
説明の便宜上、第３実施例に係る輻射式空調ユニットを符号Ａ、増設輻射式空調ユニットを符号Ｂで表す。図６（Ａ）に示すように、輻射式空調ユニットＡと増設輻射式空調ユニットＢからなる輻射式空調装置は、軽鉄下地Ｃに懸架されている。輻射式空調ユニットＡと増設輻射式空調ユニットＢはジョイント３で連結されている。ジョイント３は、輻射式空調ユニットＡに設けられたジョイント部３１と、増設輻射式空調ユニットＢに設けられたジョイント部３１が連結して、輻射式空調ユニットＡと増設輻射式空調ユニットＢ間にジョイント送風路が確立して成立する。
【００５１】
図６（Ｂ）は本発明の輻射式空調装置に係るジョイントの例の断面図である。輻射式空調ユニットＡ及び増設輻射式空調ユニットＢの前壁面１３又は後壁面１４には開口部と共にジョイント部３１を設けることができる。輻射式空調ユニットＡと増設輻射式空調ユニットＢのジョイント連結部はジョイント弾性部材３２で密閉されていて、ここから室内へは空気が漏れないようになっている。また、ジョイント弾性部材３２が確保するジョイント送風路は、輻射式空調ユニットＡと増設輻射式空調ユニットＢ内の送風路よりも断面積が小さく、絞られている。このジョイント部での送風路の絞込みが、熱媒体空気の送風速度を増強することとなり、増設輻射式空調ユニットＢ内でも、輻射パネル２１が効率的に冷却され、又は加熱されることとなる。
【００５２】
以上、本発明の第５実施形態として説明したように、第１実施形態若しくは第４実施形態に係る輻射式空調ユニットをジョイント３で連結すれば天井の広さに応じて拡張できる効果がある。また、ジョイント３で熱媒体空気の送風路が絞り込まれることで送風速度が増強される。この増強により、増設輻射式空調ユニット内の輻射パネル２１を効率よく冷却又は加熱することができる効果がある。また、増設輻射空調ユニットＢの前壁面１３と後壁面１４とは、いずれも同様の構造をしているので区別は不要である。そして、増設輻射空調ユニットＢの前壁面１３と後壁面１４の両方にジョイント部３１を設けて、更に、増設輻射空調ユニットＢを追加する拡張も可能である。
【００５３】
［第６実施形態］
次に、図７に基づいて、本発明の第６実施形態に係る輻射式空調装置の説明をする。第６実施形態に係る輻射式空調装置はジョイント部の構成を除いては、第５実施形態に係る輻射式空調装置若しくは輻射式空調ユニットと同様の構成である。図７（Ａ）は第６実施形態に係る輻射式空調装置の側面図、（Ｂ）は輻射式空調装置のジョイント部断面図、（Ｃ）は同輻射式空調装置を構成する輻射式空調ユニット間を接続するジョイント部３１Ｂ含めた輻射式空調ユニットＡの斜視図である。
【００５４】
図７（Ｂ）に示されているように、ジョイント部３１Ｂでは、輻射パネル２１の端部が折り返されて、パネル返し２１１が形成されている。ジョイント３１Ｂから熱媒体空気が送り出されていく側のパネル返し２１１について説明する。これは、ジョイント開口から流出しようとする熱媒体空気の障害物となり乱流が発生する。熱媒体空気の乱流は輻射パネル２１に該熱媒体空気を吹付けることになるので、輻射パネル２１を効率的に冷却または加熱できる効果がある。
【００５５】
以上説明したように、本発明の第６実施形態に係る輻射式空調装置は、ジョイント部３１Ｂに形成されているパネル返し２１１により、熱媒体空気に乱流を起こすものである。特許文献２に記載の輻射ダクトには、輻射パネル内部に複数のついたて（伝熱部材）を設けて、熱媒体空気の乱流を起こしている。しかし、本発明の第６実施形態に係る輻射式空調装置は、輻射パネル上面に多数のついたて構造を設けることは不要であり、そのため、より軽量に輻射式空調ユニットを構成することができるという効果がある。
【００５６】
軽量であるということは、軽鉄下地に懸架するに際して、軽鉄下地への負担が少ないという効果がある。また、ユニット内部についたてを設ける必要がないので、輻射式空調ユニットの高さ（厚さ）を低く（薄く）構成することができる。厚さが薄いということは、輻射式空調装置を軽鉄下地に懸架しても、天井が低くならないという効果がある。また、本発明の第６実施形態に係る輻射式空調装置は、輻射パネル２１上についたて状の障害物が無いので、埃が溜まることを防止できる効果もある。
【００５７】
［第７実施形態］
次に図８に基づいて本発明の第７実施形態に係る輻射式空調装置の説明をする。図８（Ａ）は第７実施形態に係る輻射式空調装置の側面図、（Ｂ）は同装置を天井裏から俯瞰した図（軽鉄下地は省略）、（Ｃ）は同装置の側面断面図のＺ２−Ｚ２矢視断面拡大図である。同輻射式空調装置は、２つの輻射式空調ユニットＡがジョイント部３１Ｂで連結されたもの２組が、並列に並べられたものである。合計４つの熱媒体空気導入管１５には、メインダクト１６を介して、１つのエアコン７による冷温空気が送られる。該エアコン７は軽鉄下地Ｃの上に設置されていて、該軽鉄下地Ｃを避けて、前記４つの熱媒体空気導入管１５が４つの輻射式空調ユニットに導入されている。エアコン７には、室内空気を吸い込むためのエアコン吸入口９が接続されている。
【００５８】
このように、全ての輻射式空調ユニットＡに熱媒体空気導入管１５を通して直接熱媒体空気を導入する構成として、輻射式空調装置を構成することができる。このような構成にすると、輻射式空調ユニットＡ毎にほぼ同様な温度の熱媒体空気が導入されて、部屋全体を均等に冷房又は暖房することができるという効果がある。
【００５９】
［第８実施形態］
次に図９（Ａ）と（Ｂ）に基づいて、本発明の第８実施形態に係る輻射式空調装置の例を説明する。図９において、（Ｂ）に示す天井裏のエアコン７からは、熱媒体空気導入管１５へ通じる送風管において、該熱媒体空気導入管１５に至る手前に送風切替え分岐ダンパー５が設けられている。そして、該送風切替え分岐ダンパー５は送風先を、熱媒体空気導入管１５及び断熱ダクト５１としたり、いずれか一方にしたりすることができる。
【００６０】
このような構成にすることで、天井側と床側から冷房又は暖房をすることができる。又は、この構成により、冷却空気を、熱媒体空気導入管１５を通して同輻射式空調装置に送ることによって、天井から冷房したり、加熱空気を、断熱ダクト５１を通して床下空間６に送って、床暖房したりすることができる。また、エアコン７には、室内空気を吸い込むためのエアコン吸入口９が接続されている。
【符号の説明】
【００６１】
Ａ…輻射式空調ユニット、Ｂ…増設輻射式空調ユニット、Ｃ…軽鉄下地、
Ｄ…断熱天井ボード、Ｅ…天井ボード、Ｆ…蓄熱材、１１…上壁面、１２…側壁面、
１２１…放出孔、１３…前壁面、１４…後壁面、１５…熱媒体空気導入管、
１６…メインダクト、２…底面、２１…輻射パネル、２１１…パネル返し、
２２…断熱ボード、２３…珪藻土クロス、２４…断熱材料、３…ジョイント、
３１，３１Ｂ…ジョイント部、３２…ジョイント弾性部材、４１…据付具、
４２…ダクトボルト、４３…アンカーボルト、５…送風切替え分岐ダンパー、
５１…断熱ダクト、６…床下空間、７…エアコン、８…輻射線、９…エアコン吸入口。
【図１】
2018063095.tif 000003
【図２】
2018063095.tif 000004
【図３】
2018063095.tif 000005
【図４】
2018063095.tif 000006
【図５】
2018063095.tif 000007
【図６】
2018063095.tif 000008
【図７】
2018063095.tif 000009
【図８】
2018063095.tif 000010
【図９】
2018063095.tif 000011